(57)【要約】【課題】  ボックス装着部に対し前後に重ね合わされて基板ボックスが設置された遊技機において、一方の基板ボックスに対し他方の基板ボックスを容易に脱着することができる遊技機を提供する。【解決手段】  遊技機の所定位置に設けられたボックス装着部７１には、回路基板８１、９１が収納された基板ボックス８０、９０が前後に重ね合わされた状態で配置されている。【選択図】        図８
2005169089.tif 000002
【特許請求の範囲】
【請求項１】
遊技機の所定位置に設けられたボックス装着部には、回路基板が収納された基板ボックスが前後に重ね合わされた状態で配置されていることを特徴とする遊技機。
【発明の詳細な説明】
【技術分野】
【０００１】
この発明は、球（パチンコ球）を用いて遊技を行う遊技機（例えば、パチンコ機等の弾球遊技機）、あるいはメダルを用いて遊技を行うスロットマシン等の遊技機に関する。
【背景技術】
【０００２】
従来、この種の遊技機において、遊技機の所定位置には、主制御基板ボックス、副制御基板ボックス等の複数の基板ボックスを設置するためのボックス装着部が設けられる。
また、ボックス装着部の設置面積を小さくするために、ボックス装着部に対し、複数の基板ボックスが前後に重ね合わされた状態で設置されたものが知られている。（例えば、特許文献１参照）。
すなわち、特許文献１に記載された発明においては、ボックス装着部（玉寄せ）の背面に設けたボス部に奥の基板ボックス（第１基板ボックス）が複数本のネジの締め付けによって固定され、その奥の基板ボックスの背面の下部にヒンジ機構によって手前の基板ボックス（第２基板ボックス）が、その下部において下方に回動可能に装着されている。
また、手前の基板ボックスの下部（ヒンジ回り）には、同基板ボックスを略水平をなす回動位置に止めるためのストッパ片が設けられている。
【特許文献１】特開２０００ー１５７７０６号公報
【発明の開示】
【発明が解決しようとする課題】
【０００３】
ところで、前記特許文献１に開示された発明においては、例えば、手前の基板ボックスを、その下部のヒンジ軸を中心として下方に回動した状態のもとで、奥の基板ボックスの表面側から保守・点検する作業、あるいは、奥の基板ボックスの回路基板上に配設された各種の基板コネクタに対し、接続線の端末コネクタを差し込んだり抜き取る作業、あるいは、奥の基板ボックスに配置された封印部を検査のために切り取る作業、あるいは、手前の基板ボックスの裏面を目視によって点検する作業がしづらい。
すなわち、下部のヒンジ軸を中心として下方に回動した手前の基板ボックスは、その自重がストッパ片によって支えられて静止するようになっている。
言い換えると、基板ボックスを所望とする静止位置に止めるためにストッパ片のようなストッパ部材を設ける必要がある。
ストッパ部材がない場合には、基板ボックスが自重によって過度に回動され、下方に位置する他の部材や装置（例えば、遊技盤の裏面に突出する球誘導部材や役物装置の後方突出部）に衝突し、互いに損傷する虞があるからである（特許文献１の図６参照）。
そして、特許文献１に開示された発明では、手前の基板ボックスの下部のヒンジ部の近傍にストッパ片（ストッパ部材）が設けられる構造上、ストッパ部材をコンパクトにして限られた小スペース内に組み付けることができる。
しかしながら、ストッパ部材は、ヒンジ機構を阻害しない形状、大きさに制限されるため、構造が複雑となったり、あるいは十分な強度をもたせることが困難となる。
例えば、前記した保守・点検作業、特に、奥の基板ボックスの回路基板上に配設された各種の基板コネクタに対し、接続線の端末コネクタを差し込んだり抜き取る作業や、奥の基板ボックスに配置された封印部を検査のために切り取る作業等において、裏面を上向きにして静止位置まで開いた手前の基板ボックスが邪魔となる。
このため、前記作業を少しでも楽に行うように、作業者が手前の基板ボックスに腕を載せたり、体の一部を押し当てて作業を行うことがある。このような場合、大きな外力が手前の基板ボックスを「てこ」として根元のストッパ部材に負荷され、これによってストッパ部材が破損される場合がある。
そこで、ストッパ部材を、ヒンジ部近傍から離れた手前の基板ボックスの自由端寄りに対応する位置に配置するとともに、外力に耐え得る形状、大きさに構成することが考えられる。この場合には、手前の基板ボックスの直下にストッパ部材を配設するためのスペースを確保しなければならず、そのスペースの確保ができず、採用できない場合がある。
前記したようなことから、手前の基板ボックスをストッパ部材によって静止位置に止めた状態で、奥の基板ボックスの保守・点検作業を行う場合には、手前の基板ボックスに作業者の腕等が当ることがないように気遣って行わなければならず、作業性が悪いという問題点があった。
また、奥の基板ボックスの裏面を目視によって点検する際などにおいて、ボックス装着部に対し奥の基板ボックスを取り外す場合には、ボックス装着部の背面のボス部に対し複数本のネジを外して奥の基板ボックスを取り外さなければず、その作業に多くの手間が必要となる。
また、取り外した奥の基板ボックスをボックス装着部（玉寄せ）背面に対し複数本のネジによって締め付けて取り付ける作業においても多くの手間が必要となり、奥の基板ボックスの裏面を目視によって点検する作業が厄介であった。
したがって、特許文献１に開示された発明においては、前後の基板ボックスの保守・点検作業が厄介であった。
【０００４】
この発明の目的は、前記問題点に鑑み、ボックス装着部に対し前後に重ね合わされて基板ボックスが設置された遊技機において、前後の基板ボックスの保守・点検を容易に行うことができる遊技機を提供することである。
【課題を解決するための手段】
【０００５】
前記目的を達成するために、請求項１の発明に係る遊技機は、
「遊技機の所定位置に設けられたボックス装着部には、回路基板が収納された基板ボックスが前後に重ね合わされた状態で配置され、
前記前後の基板ボックスの一側部にはヒンジ機構が配設され、
前記ヒンジ機構によって奥の基板ボックスに対し手前の基板ボックスが水平方向に回動可能に装着されていることを特徴とする遊技機。」を要旨とするものである。
ここで、ボックス装着部に重ね合わされた状態で配置された前後の基板ボックスにおいて、基板ボックスの保守・点検などの際、ボックス装着部に接近して配置された基板ボックスが奥の基板ボックスに相当し、作業者に近い基板ボックスが手前の基板ボックスに相当する。
【０００６】
したがって、奥の基板ボックスに対し手前の基板ボックスをヒンジ機構によって水平方向に回動可能に装着するという極めて簡単な構造によって、手前の基板ボックスをヒンジ部に生じる摩擦力や自重によって前記水平回動位置に静止可能となる。
言い換えると、手前の基板ボックスを下方に回動しストッパ片によって止める従来のものと異なり、ストッパ片を設けることなく、手前の基板ボックスを所望とする水平角度位置まで回動した状態で静止される。
また、手前の基板ボックスを所望とする水平角度位置まで回動した状態において、手前の基板ボックスの裏面（前面）は横向きをなし、上方からの外力が殆ど作用しない。
この結果、手前の基板ボックスを所望とする水平角度位置まで回動し、その手前の基板ボックスの裏面（前面）と、奥の基板ボックスの表面（後面）とをそれぞれ露出させてこれら前後の基板ボックスの保守・点検作業を容易に行うことができる。
また、作業状況に応じて手前の基板ボックスの静止位置を任意に変更することも可能である。
したがって、例えば、奥の基板ボックスの回路基板上に配設された各種の基板コネクタに対し、接続線の端末コネクタを差し込んだり、抜き取る作業や、あるいは、奥の基板ボックスに配置された封印部を検査のために切り取る作業を手前の基板ボックスに妨害されることなく容易に行うことができる。
さらに、手前の基板ボックスを所望とする水平角度位置まで回動した状態で、その手前の基板ボックスの裏面を目視によって点検する作業を容易に行うことができる。
【０００７】
請求項２の発明に係る遊技機は、
「遊技機の所定位置に設けられたボックス装着部には、回路基板が収納された基板ボックスが前後に重ね合わされた状態で配置され、
前記ボックス装着部には、前記前後の基板ボックスが別個のヒンジ機構によってそれぞれ独立して回動可能に装着されていることを特徴とする遊技機。」
を要旨とするものである。
【０００８】
したがって、ボックス装着部に対し前後の基板ボックスを別個のヒンジ機構によってそれぞれ独立して回動した状態でこれら前後の基板ボックスの保守・点検を容易に行うことができる。
例えば、前後の両基板ボックスが共に、不正行為の対象となりやすい制御基板（主制御基板、副制御基板等）が収納された基板ボックスである場合、これら両基板ボックスに対し不正の回路部品が存在しているか否かの保守・点検が重要となる。この保守・点検の際、前後の基板ボックスを別個のヒンジ機構によってそれぞれ独立して回動した状態で、これら両基板ボックスの表裏両面を目視によって容易に点検することができる。
特に、奥の基板ボックスの裏面を目視によって点検する場合には、ボックス装着部に対し奥の基板ボックスを取り外すことなく、ヒンジ機構によって連結された状態で奥の基板ボックスを回動することで、奥の基板ボックスの裏面を目視によって容易に点検することができる。
すなわち、前記従来のものにおいては、奥の基板ボックスの裏面を目視によって点検する場合には、その都度、ボックス装着部に対し複数本のネジを外して奥の基板ボックスを取り外さなければならず、その作業に多くの手間が必要となる。さらに、取り外した奥の基板ボックスを複数本のネジによって締め付けて元の状態に取り付ける作業においても多くの手間が必要となる。
これに対し、請求項２の発明によれば、ボックス装着部に対し複数本のネジによって奥の基板ボックスを脱着する手間を省くことができ、その分だけ、奥の基板ボックスの裏面を目視によって点検する作業が容易となる。
【０００９】
請求項３の発明に係る遊技機は、請求項２に記載の遊技機であって、
ボックス装着部に対し前後の基板ボックスが共通の係止体によって装着状態にロックされる構成にしてあることを特徴とする。
したがって、ボックス装着部に対し、前後の基板ボックスを共通の係止体によって一度にロックすることができる。
しかも、ボックス装着部に対し前後の基板ボックスをそれぞれ装着状態にロックするための係止体を個別に設ける必要がなく、その分だけ構造を簡単化してコスト低減を図ることができる。
【００１０】
請求項４の発明に係る遊技機は、請求項３に記載の遊技機であって、
係止体は、ボックス装着部に弾性的に係止されて奥の基板ボックスを装着状態にロックする第１ロック部と、
前記奥の基板ボックスに対し手前の基板ボックスを装着状態にロックする第２ロック部と、
ロック解除用操作部と、をそれぞれ一体に備えていることを特徴とする。
したがって、第１ロック部、第２ロック部及びロック解除用操作部を一体に備えた係止体によって、ボックス装着部に対する前後の基板ボックスのロック並びにロック解除を容易に行うことができる。
例えば、前後の基板ボックスの保守・点検の際、前後の基板ボックスをそれぞれのヒンジ機構によって回動する前において、前後の基板ボックスをロック解除する必要がある。  また、前後の基板ボックスの保守・点検後は、前後の基板ボックスを元の装着位置まで回動して前後の基板ボックスをロックする必要がある。
そして、ロック並びにロック解除操作を係止体によって容易化した分だけ、前後の基板ボックスの保守・点検作業に要する時間を短縮化することができる。
【００１１】
請求項５の発明に係る遊技機は、請求項４に記載の遊技機であって、
係止体は、第１ロック部が形成される第１弾性変形部と、第２ロック部が形成される第２弾性変形部を一体に有し、
ロック解除用操作部によって前記第２弾性変形部を前記第２ロック部のロック解除方向に弾性変形したときには、前記第１ロック部がロック状態に保たれた状態で前記第２ロック部のみがロック解除され、
前記第２ロック部がロック解除された状態で、前記ロック解除用操作部によって前記第１弾性変形部を第１ロック部のロック解除方向に弾性変形することで第１ロック部がロック解除される構成にしてあることを特徴とする。
したがって、手前の基板ボックスのみを回動して保守・点検を行う場合等において、ロック解除用操作部によって第２弾性変形部を第２ロック部のロック解除方向に弾性変形させて第２ロック部をロック解除したときに、第１ロック部が不測にロック解除されるという不具合を防止することができ、使い勝手に優れる。
すなわち、ロック解除用操作部によって第２ロック部をロック解除したときに、第１ロック部が不測にロック解除されると、その後、手前の基板ボックスを回動するときに、奥の基板ボックスも追従して回動する場合があり、保守・点検作業がしづらくなる。
これに対し、前記したように第１ロック部の不測のロック解除が原因となって奥の基板ボックスが追従回動し、保守・点検作業がしづらくなることを防止することができる。
【００１２】
請求項６の発明に係る遊技機は、請求項２〜５に記載の遊技機であって、
ボックス装着部とそのボックス装着部に接近する奥の基板ボックスとの間のヒンジ機構は、前記ボックス装着部と前記奥の基板ボックスの一側にそれぞれ設けられかつヒンジ軸とヒンジ孔とを有する対のヒンジ体によって構成され、
前記ボックス装着部に対し前記奥の基板ボックスが所定高さ位置まで上方に持ち上げられることで前記ヒンジ軸が前記ヒンジ孔から抜け出て外れる構成にしてあることを特徴とする。
したがって、ボックス装着部に対し奥の基板ボックスが所定高さ位置まで上方に持ち上げられることでヒンジ軸がヒンジ孔から抜け出て外れ、これによって奥の基板ボックスが容易に取り外される。
また、前記とは逆に操作することでヒンジ軸とヒンジ孔とが相互に嵌合して連結されるため、ボックス装着部に対し奥の基板ボックスが容易に装着される。
【００１３】
請求項７の発明に係る遊技機は、請求項１〜６のいずれか一項に記載の遊技機であって、
前後の基板ボックスの間のヒンジ機構は、前後の基板ボックスの一側にそれぞれ設けられかつヒンジ軸とヒンジ孔とを有する対のヒンジ体によって構成され、
前記奥の基板ボックスに対し前記手前の基板ボックスが所定高さ位置まで上方に持ち上げられることで前記ヒンジ軸が前記ヒンジ孔から抜け出て外れる構成にしてあることを特徴とする。
したがって、奥の基板ボックスに対し手前の基板ボックスが所定高さ位置まで上方に持ち上げることで、ヒンジ軸がヒンジ孔から抜け出て外れ、これによって手前の基板ボックスが容易に取り外される。
また、前記とは逆に操作することでヒンジ軸とヒンジ孔とが相互に嵌合して連結されるため、奥の基板ボックスに対し手前の基板ボックスが容易に装着される。
【００１４】
請求項８の発明に係る遊技機は、請求項７に記載の遊技機であって、
前後の基板ボックスは合成樹脂材によってそれぞれ形成されるとともに、ヒンジ孔を有するヒンジ体、あるいはヒンジ軸を有するヒンジ体がそれぞれの基板ボックスと一体に形成されていることを特徴とする。
したがって、前後の基板ボックスと別個にヒンジ孔を有するヒンジ体、あるいはヒンジ軸を有するヒンジ体をそれぞれ別個に製作して組み付ける手間を省くことができ、部品点数や組付工数を軽減してコスト低減を図ることが可能となる。
【００１５】
請求項９の発明に係る遊技機は、請求項８に記載に記載の遊技機であって、
奥の基板ボックスのヒンジ体にはヒンジ孔が形成され、
手前の基板ボックスのヒンジ体の下面には、前記ヒンジ孔の上方から挿脱可能に嵌挿されるヒンジ軸が下向きに突設されていることを特徴とする。
したがって、奥の基板ボックスのヒンジ体のヒンジ孔に対し、手前の基板ボックスのヒンジ体のヒンジ軸を挿脱して奥の基板ボックスに対し手前の基板ボックスを着脱する場合には、手前の基板ボックスのヒンジ体に下向きに突設されたヒンジ軸の下端を目視しながら奥の基板ボックスのヒンジ体のヒンジ孔に容易に挿脱することができる。このため、奥の基板ボックスに対し手前の基板ボックスを容易に着脱することができる。
【００１６】
請求項１０の発明に係る遊技機は、請求項６〜９のいずれか一項に記載の遊技機であって、
ヒンジ孔を有するヒンジ体においては、同ヒンジ体はヒンジ孔を有して有底筒状に形成されていることを特徴とする。
したがって、有底筒状のヒンジ体のヒンジ孔に対し、ヒンジ軸が回動可能に嵌挿された状態において、そのヒンジ軸が有底筒状のヒンジ体によって被われて保護される。このため、ヒンジ軸に異物が当たって損傷されることを確実に防止することができる。
【００１７】
請求項１１の発明に係る遊技機は、請求項１〜１０のいずれか一項に記載の遊技機であって、
奥の基板ボックスに収納された回路基板の一側寄り部分には基板コネクタが配設され、
手前の基板ボックスは、前記奥の基板ボックスの基板コネクタを覆って重ねられることがないように前記奥の基板ボックスの基板コネクタの配設領域を避けて位置ずれした状態で配置されていることを特徴とする。
したがって、遊技機のボックス装着部に奥の基板ボックスと手前の基板ボックスとが前後に重ね合わされて装着された状態において、手前の基板ボックスを取り外すことなく、奥の基板ボックスの基板コネクタに対し、接続線の端末コネクタを容易に接続することができる。
【００１８】
請求項１２の発明に係る遊技機は、請求項１１に記載の遊技機であって、
奥の基板ボックスの回路基板のヒンジ側寄り部分に基板コネクタが配設され、
手前の基板ボックスの回路基板には、前記奥の基板ボックスの基板コネクタに接近するヒンジ側寄り部分に基板コネクタが配設されていることを特徴とする。
したがって、奥の基板ボックスの回路基板の基板コネクタと、手前の基板ボックスの回路基板の基板コネクタとをできるだけ短い接続線を用いて接続することができる。しかも、手前の基板ボックスをヒンジ軸を中心として回動する際、その接続線が手前の基板ボックスの回動動作の妨害物となることも軽減することができる。
ひいては、接続線が手前の基板ボックスに絡みついたり、あるいは接続線に過大な引張力が作用して断線する不具合を防止することができる。
【００１９】
請求項１３の発明に係る遊技機は、請求項１〜１２のいずれか一項に記載の遊技機であって、
ボックス装着部に接近する奥の基板ボックスと、その奥の基板ボックスに重ね合わされて装着される手前の基板ボックスのうち、少なくとも前記手前の基板ボックスは封印手段によって封印されていることを特徴とする。
したがって、ボックス装着部に対し前後の基板ボックスが装着された状態であっても、手前の基板ボックスの封印手段による封印状態が目視可能となり、手前の基板ボックスの不測の開放による不正行為（例えば、ＲＯＭ等の回路部品が不正回路部品に交換される不正行為）の発見が容易となりる。
【００２０】
請求項１４の発明に係る遊技機は、請求項１〜１３のいずれか一項に記載の遊技機であって、
ボックス装着部は遊技盤の後側に設けられ、
前後の基板ボックスは、前記遊技盤の外郭から外側にはみ出すことなく前記ボックス装着部に前後に重ね合わされて装着されていることを特徴とする。
したがって、遊技機の遊技盤装着枠の前側又は後側から遊技盤を嵌込んで装着する際、遊技盤に前後の基板ボックスを装着した状態であっても遊技盤装着枠の前側又は後側から遊技盤を容易に嵌込んで装着することができる。
言い換えると、遊技盤装着枠に遊技盤を嵌込む際、その遊技盤装着枠に前後の基板ボックスが衝突して嵌込みを妨害する不具合を防止することができる。
【００２１】
請求項１５の発明に係る遊技機は、請求項１〜１４のいずれか一項に記載の遊技機であって、
前後の基板ボックスの相対するボックス壁の間には、電磁波、静電気等を遮断する導電性のシールド板が介在されていることを特徴とする。
したがって、手前の基板ボックスで発生する電磁波を、導電性のシールド板によって遮断することができるため、手前の基板ボックスで発生する電磁波によって、奥の基板ボックス内の電子部品が誤動作されることを防止することができる。
また、奥の基板ボックスで発生する電磁波を、導電性のシールド板によって遮断することができるため、奥の基板ボックスで発生する電磁波によって、手前の基板ボックス内の電子部品が誤動作されることを防止することができる。
【００２２】
請求項１６の発明に係る遊技機は、請求項１５に記載の遊技機であって、
前後の基板ボックスの相対するボックス壁のうち、一方のボックス壁には、取付孔が形成され、
シールド板には、前記取付孔に挿入された後、一方向にスライドされることで係合する断面鉤形状の係止片が形成されていることを特徴とする。
したがって、シールド板の断面鉤形状の係止片を一方の基板ボックスのボックス壁の取付孔に挿入した後、一方向にスライドさせることで、取付孔に係止片を係合させてシールド板を取り付けることができる。このため、一方の基板ボックスのボックス壁に複数本のネジを締め付けてシールド板を取り付ける場合と比べシールド板を容易に手早く取り付けることができる。
【００２３】
請求項１７の発明に係る遊技機は、請求項１６に記載の遊技機であって、
一方のボックス壁には、その取付孔に臨んで弾性変形可能でかつシールド板の係止片の根元部に係合して同係止片を前記取付孔と係合状態にロックするロック片が形成されていることを特徴とする。
したがって、一方の基板ボックスのボックス壁にシールド板が取り付けられた状態において、ロック片によって係止片を取付孔と係合状態にロックすることができるため、シールド板が位置ずれしたり外れることを防止することができ、常に最適な取り付け状態で電磁波、静電気等をシールドすることができる。
【００２４】
請求項１８の発明に係る遊技機は、請求項１７に記載の遊技機であって、
シールド板には、ロック片をロック解除方向に弾性変形させるために指先が挿入可能なロック解除孔が形成されていることを特徴とする。
したがって、前後の基板ボックスの相対するボックス壁のうち、一方のボックス壁にシールド板が取り付けられかつロック片によってロックされた状態において、一方のボックス壁からシールド板を取り外す場合には、シールド板のロック解除孔から指先を挿入してロック片をロック解除方向に弾性変形させた状態で取付方向とは反対方向にかつシールド板の係止片が一方のボックス壁の取付孔に対応する位置までスライドさせる。この状態でシールド板の係止片を一方のボックス壁の取付孔から引き出すことによってシールド板を取り外すことができる。
すなわち、一方のボックス壁に複数本の複数本のネジによってシールド板を取り付ける場合と比べ、基板ボックスとシールド板とを容易にかつ手早く分離することができ、基板ボックスとシールド板とを分離してリサイクルする場合において効果が大きい。
【発明の効果】
【００２５】
この発明によれば、ボックス装着部に対し前後に重ね合わされて基板ボックスが設置された遊技機において、基板ボックスの保守・点検作業の作業効率を高めることができる。
【発明を実施するための最良の形態】
【００２６】
次に、この発明を実施するための最良の形態を実施例にしたがって説明する。
【実施例１】
【００２７】
図１はこの発明を実施例１に係る遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠と遊技盤とを分離して斜め右上前方から示す斜視図である。図５は遊技機の本体枠と遊技盤とを分離して斜め左上前方から示す斜視図である。図６は遊技盤を後側から示す背面図である。図７は遊技盤の側面図である。図８は主制御基板ボックスと副制御基板ボックスとのヒンジ機構部を示す分解斜視図である。図９は主制御基板ボックスと副制御基板ボックスと閉止機構を示す分解斜視図である。図１０はボックス装着部に対し主制御基板ボックスと副制御基板ボックスとが閉止機構によって閉止された状態を示す断面図である。なお、説明の便宜上、遊技機において遊技者側を前、反対側を後として説明する。
【００２８】
（遊技機の概要について）
図１〜図３に示すように、遊技機としてのパチンコ機の外枠１０は、上下左右の枠材によって縦長四角形の枠状に形成され、その外枠１０の前面の片側には、本体枠開閉用ヒンジ機構２０によって本体枠３０が前方に開閉可能に装着されている。
この本体枠３０のヒンジ機構と反対側に自由端側の後側には、外枠１０に設けられた係止具に係脱可能に係合して本体枠３０を閉じ状態に施錠する本体枠施錠フック１４５が配設されている。
また、本体枠３０は、合成樹脂材によって一体に形成されるとともに、図４と図５に示すように、前側に遊技盤装着部３１が後側に機構装着部１６０がそれぞれ形成されている。これによって、合成樹脂製の本体枠３０は、従来の前枠（内枠、前面枠等と呼ばれることがある）と、機構板（裏機構板、裏セット板等と呼ばれることがある）との機能を兼ね備えている。
【００２９】
図４と図５に示すように、本体枠３０の前側の遊技盤装着部３１は、遊技盤４０が前側から着脱交換可能に嵌込まれる遊技盤装着枠３３を有し、その遊技盤装着枠３３の奥側の枠部内周には遊技盤４０の後面の周縁部を受け止める後面受け部３４が形成されている。
また、図４に示すように、遊技盤装着枠３３の一側内壁面の上下部２箇所には、後面受け部３４との間に遊技盤４０の一側部が差し込み可能な間隔を隔てて前面押え部３５が形成されている。
また、図４と図５に示すように、遊技盤装着枠３３の他側内壁面の上下部２箇所には、遊技盤４０のロック部材５０に対応する係止溝３６が形成されている。
また、遊技盤装着枠３３の他側部近傍には、本体枠３０側と遊技盤４０側とを電気的に接続するための本体側コネクタ４５が設置されている。
また、遊技盤装着枠３３の下側部には、遊技盤４０の前面下部を遊技盤装着枠３３の後面受け部３４に押さえ付けて緊締するターンバックル形式の緊締具６０が装着されている。
【００３０】
（遊技盤について）
図４に示すように、遊技盤４０は、遊技盤装着部３１の遊技盤装着枠３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例１では、役物装置４６の役物本体４７の後部４７ａが遊技盤４０の後側に突出して配設される（図６及び図７参照）。
また、遊技盤４０の前面には、その案内レール４１の外側領域において、合成樹脂製の前構成部材４０ａが装着されている。
【００３１】
この実施例１において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている。
【００３２】
また、図４と図５に示すように、遊技盤４０前側の前構成部材４０ａの他側寄りの上下２箇所には、遊技盤装着枠３３の係止溝３６に対応する位置においてロック部材５０がピンと左右方向の長孔によって回動操作可能に装着されている。
そして、遊技盤４０（前構成部材４０ａを含む）は、その左右の一側部が遊技盤装着枠３３の後面受け部３４と前面押え部３５との間に差し込まれ、ロック部材５０の先端のロック部５１が遊技盤装着枠３３の係止溝３６に差し込まれて係合されることで本体枠３０の遊技盤装着部３１に装着されるようになっている（図１参照）。
【００３３】
（ボックス装着部としての後カバー体について）
図６と図７に示すように、遊技盤４０の後側下部には、各種入賞装置に流入した球を受けかつその球を所定位置まで導く集合樋７０ａと、その集合樋７０ａの後側を覆うボックス装着部としての後カバー体７０が設けられている。
後カバー体７０の後側にはボックス装着部７１が形成されている。そして、ボックス装着部７１には、奥の基板ボックスとしての副制御基板ボックス９０と、手前の基板ボックスとしての主制御基板ボックス８０とが前後に重ね合わされた状態で装着されている。
【００３４】
（副制御基板ボックス及び主制御基板ボックスについて）
主制御基板ボックス８０及び副制御基板ボックス９０は、共に透明な合成樹脂材によって形成されたベース体と蓋体とをそれぞれ備えてボックス形状をなしている。そして、主制御基板ボックス８０の内部には主制御基板（回路基板）８１が収納され、副制御基板ボックス９０の内部には、音声制御基板、ランプ制御基板等の副制御基板（回路基板）９１が収納されている。
また、主制御基板ボックス８０において、そのベース体の一側部においてヒンジ（図示しない）を支点として蓋体が開閉可能に装着され、その蓋体の自由端側において、ベース体と蓋体と相互には、封印ネジ等によって蓋体を封印するための複数の封印部８９を切除可能に有する封印手段が設けられている（図６参照）。
【００３５】
この実施例１において、図８に示すように、後カバー体７０後側のボックス装着部７１と、そのボックス装着部７１に接近する前側の副制御基板ボックス９０との一側には、副制御基板ボックス９０を水平方向（上下方向の軸線回り）に回動可能に装着するためのヒンジ機構を構成するヒンジ軸９６とヒンジ孔７４とがそれぞれ設けられる対のヒンジ体９５、７３が設けられている。
そして、ボックス装着部７１に対し副制御基板ボックス９０が所定高さ位置まで上方に持ち上げられることでヒンジ軸９６がヒンジ孔７４から抜け出て外れ、これによって副制御基板ボックス９０が取り外されるようになっている。
【００３６】
また、この実施例１において、ボックス装着部７１の一側にはヒンジ孔７４を有する有底筒状のヒンジ体７３が一体に形成され、副制御基板ボックス９０の一側には、ヒンジ孔７４の上方から挿脱可能に嵌挿されるヒンジ軸９６が下向きに突設されるヒンジ体９５が一体に形成されている。
【００３７】
図９と図１０に示すように、後カバー体７０後側のボックス装着部７１と、副制御基板ボックス９０との他側の自由端側には、ボックス装着部７１に対し副制御基板ボックス９０が接近して沿う装着状態（閉じ状態）にロックするためのロック手段を構成する係止孔７８と係止体９９とがそれぞれ形成されている。
すなわち、ボックス装着部７１の他側部には、角孔状の係止孔７８が形成される一方、副制御基板ボックス９０の他側部には係止孔７８の挿入側開口部から弾性的に変形（縮小）されて差し込み可能な略Ｕ字状の第１弾性変形部９９ａを有する係止体９９が一体に延出形成されている。
そして、係止体９９のＵ字状の第１弾性変形部９９ａの自由端側には、係止孔７８の奥側開口縁に係合して副制御基板ボックス９０を装着状態にロックするための爪状の第１ロック部９９ｂが形成されている。
また、係止体９９の第１弾性変形部９９ａの自由端側の先端部には、第２弾性変形部９９ｅが一体に延出され、さらに、その第２弾性変形部９９ｅの先端には、係止孔７８から第１ロック部９９ｂが外れる状態に第１弾性変形部９９ａを弾性変形させるロック解除用操作部９９ｄが一体に延出されている。
【００３８】
図８に示すように、前側の副制御基板ボックス９０と後側の主制御基板ボックス８０の一側部には、主制御基板ボックス８０を水平方向（上下方向の軸線回り）に回動可能に装着するためのヒンジ機構を構成するヒンジ軸８６とヒンジ孔９８とがそれぞれ設けられる対のヒンジ体８５、９７が設けられている。
そして、副制御基板ボックス９０に対し主制御基板ボックス８０が所定高さ位置まで上方に持ち上げられることでヒンジ軸８６がヒンジ孔９８から抜け出て外れ、これによって主制御基板ボックス８０が取り外されるようになっている。
また、この実施例１において、副制御基板ボックス９０の一側には、ヒンジ孔９８を有する有底筒状のヒンジ体９７に一体に形成され、主制御基板ボックス８０の一側には、ヒンジ孔９８の上方から挿脱可能に嵌挿されるヒンジ軸８６が下向きに突設されるヒンジ体８５が一体に形成されている。
【００３９】
図９と図１０に示すように、副制御基板ボックス９０と主制御基板ボックス８０との他側（図に向かって右側の自由端側）には、副制御基板ボックス９０に対し主制御基板ボックス８０が接近して沿う装着状態（閉じ状態）にロックするためのロック手段を構成する係止爪８７と孔状の第２ロック部９９ｃとがそれぞれ設けられている。
すなわち、この実施例１において、副制御基板ボックス９０の他側部に設けられた係止体９９のＵ字状の第１弾性変形部９９ａの自由端側に一体状に延出された第２弾性変形部９９ｅには孔状の第２ロック部９９ｃが形成され、主制御基板ボックス８０の他側には第２ロック部９９ｃに係脱可能に係合して主制御基板ボックス８０を装着状態にロックするための係止爪８７が一体に突設されている。
【００４０】
また、この実施例１において、係止体９９は、ロック解除用操作部９９ｄによって第２弾性変形部９９ｅを第２ロック部９９ｃのロック解除方向に弾性変形したときには、第１ロック部９９ｂがロック状態に保たれた状態で第２ロック部９９ｃのみがロック解除されようになっている。そして、第２ロック部９９ｃがロック解除された状態で、ロック解除用操作部９９ｄによってＵ字状の第１弾性変形部９９ａを第１ロック部９９ｂのロック解除方向、すなわち、Ｕ字状の第１弾性変形部９９ａが縮小する方向に弾性変形することで第１ロック部９９ｂがロック解除される構成にしてある。
すなわち、図１０において、ロック解除用操作部９９ｄによって係止体９９の第２弾性変形部９９ｅを外方向（図１０に向かって右方向）に撓ませることで、第２ロック部９９ｃが主制御基板ボックス８０の係止爪８７から外れる。また、ロック解除用操作部９９ｄによって第２弾性変形部９９ｅを外方向（図１０に向かって右方向）に撓ませたとき（第２ロック部９９ｃをロック解除したとき）には、Ｕ字状の第１弾性変形部９９ａの第１ロック部９９ｂは係止孔７８の開口縁に係合する方向に変位されるため、第１ロック部９９ｂはロック状態に保たれることとなる。これによって第２ロック部９９ｃのみがロック解除されるように構成されている。
【００４１】
また、第２ロック部９９ｃがロック解除された状態で、ロック解除用操作部９９ｄによって第１ロック部９９ｂのロック解除が許容されるようになっている。すなわち、第１ロック部９９ｂをロック解除する場合には、ロック解除用操作部９９ｄによって、Ｕ字状の第１弾性変形部９９ａを、第２ロック部９９ｃのロック解除とは逆方向（図１０に向かって左方向）に撓ませて縮小させることで、第１ロック部９９ｂが係止孔７８の開口縁から外れてロック解除されるように構成されている。
さらに、図１０に示すように、第１ロック部９９ｂ及び第２ロック部９９ｃが共にロック状態にある時に、ロック解除用操作部９９ｄによって、第１弾性変形部９９ａを第１ロック部９９ｂのロック解除方向（図１０に向かって左方向）に撓ませてようとした場合、そのロック解除用操作部９９ｄの操作が主制御基板ボックス８０の側部において規制されるため、第１ロック部９９ｂがロック解除されることがない。
これによって、主制御基板ボックス８０のみを回動して保守・点検を行う場合等において、ロック解除用操作部９９ｄによって第２ロック部９９ｃをロック解除したときに、第１ロック部９９ｂが不測にロック解除されることが防止されるようになっている。
【００４２】
また、この実施例１において、図８に示すように、副制御基板ボックス９０に収納された副制御基板９１の一側寄り部分（ヒンジ側寄り部分）には所要数（複数）の基板コネクタ９４が配設されている。そして、副制御基板ボックス９０の後側に重ねられて配置される主制御基板ボックス８０は、副制御基板９１の基板コネクタ９４の後側を覆って重ねられることがないように、副制御基板９１の基板コネクタ９４の配設領域を避けて位置ずれした状態で配置されるように、前記したヒンジ機構やロック手段の配設位置が設定されている。
一方、主制御基板ボックス８０の主制御基板８１には、副制御基板９１の基板コネクタ９４に接近するヒンジ側寄り部分には所要数（複数）の基板コネクタ８２が配設されている。
【００４３】
また、この実施例１において、図６に示すように、遊技盤４０の後側に対し後カバー体７０、副制御基板ボックス９０及び主制御基板ボックス８０がそれぞれ装着された状態において、本体枠３０の遊技盤装着部３１の前側からその遊技盤装着枠３３内に遊技盤４０を嵌込んで装着できるように、遊技盤４０の外郭から、後カバー体７０、副制御基板ボックス９０及び主制御基板ボックス８０が外側にはみ出すことなく配置されている。
また、この実施例１において、遊技盤４０の後面の他側寄り下部には、本体枠３０の遊技盤装着部３１の前側からその遊技盤装着枠３３内に遊技盤４０を嵌込む動作によって、本体側コネクタ４５に挿脱可能に差し込まれる遊技盤側コネクタ４５が設置されている（図４及び図５参照）。
【００４４】
（本体枠の前側構成について）
図５に示すように、本体枠３０の前側に遊技盤装着部３１よりも下方に位置する下部領域の一側よりにはスピーカボックス部が一体に形成され、そのスピーカボックス部の前側開口部には、同開口部を塞ぐようにしてスピーカ装着板１０７が装着されている。そして、スピーカ装着板１０７にはスピーカ１０９が装着されている。
また、本体枠３０の前側の下部領域の他側寄り上部には、遊技盤４０の発射通路に向けて球を導く発射レール１００が傾斜状に装着されている。
また、図１と図４に示すように、本体枠３０の前側の下部領域の前側には、その下部領域全体を覆うようにして下部前面板１１０が装着されている。下部前面板１１０の前側の略中央部には、下皿１１１が設けられ、片側寄りには操作ハンドル１１５が設けられている。
【００４５】
（ガラス扉について）
図１と図２に示すように、本体枠３０の前面の片側には、同本体枠３０の上端から下部前面板１１０にわたる部分を覆うようにしてガラス扉１３０がガラス扉用ヒンジ機構１２０によって前方に開閉可能に装着されている。ガラス扉１３０のヒンジ機構と反対側に自由端側の後面には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前側の略全体は前面装飾部材によって装飾され、同ガラス扉１３０の前面の下部には上皿１３６が形成されている。
【００４６】
（本体枠の後側構成について）
一方、図３に示すように、本体枠３０の後側の機構装着部１６０には、球タンク１６５、タンクレール１７５、ユニット状の球払出装置２１０、発射レール１００の下傾端部の発射位置に送られた球を発射する発射ハンマー２３３及び発射モータ２３２等を有する発射装置ユニット２３０、電源基板を有する電源基板ボックス２４０、枠制御基板を有する枠制御基板ボックス２３４等が装着されている。なお、枠制御基板ボックス２３４内の枠制御基板は、球払出装置２１０、発射装置（発射装置ユニット２３０）等を制御する制御回路を備えている。また、枠制御基板ボックス２３４は、主制御基板ボックス８０と略同様にして、ベース体と蓋体によって開閉可能に構成され、ベース体と蓋体には、封印ネジ等によって蓋体を封印するための複数の封印部を切除可能に有する封印手段が設けられている。
【００４７】
また、図３に示すように、電源基板ボックス２４０及び枠制御基板ボックス２３４は、遊技盤４０の副制御基板ボックス９０及び主制御基板ボックス８０の下方に接近する位置において、本体枠３０の後側に前後に重ね合わされた状態で装着されている。
また、電源基板ボックス２４０の基板コネクタが枠制御基板ボックス２３４に隠されることがないように、電源基板ボックス２４０と枠制御基板ボックス２３４とが左右方向に位置ずれして重ね合わされて装着されている。
さらに、電源基板ボックス２４０及び枠制御基板ボックス２３４の各基板コネクタは、副制御基板ボックス９０及び主制御基板ボックス８０の各基板コネクタ９４、８２と同じ側（図３に向かって左側）にそれぞれ配設されている。
【００４８】
（実施例１の作用効果について）
この実施例１に係る遊技機は上述したように構成される。
したがって、後カバー体７０のボックス装着部７１に対し、副制御基板ボックス９０と主制御基板ボックス８０とを前後に重ね合わせて装着する場合、まず、ボックス装着部７１に一体に形成されたヒンジ体７３のヒンジ孔７４の上方から副制御基板ボックス９０に一体に形成されたヒンジ体９５の下向きのヒンジ軸９６が嵌挿される。これによってボックス装着部７１の一側に副制御基板ボックス９０がヒンジ軸９６を中心として回動可能に支持される（図８参照）。
【００４９】
次に、ボックス装着部７１の後側に接近して沿う装着位置に向けて副制御基板ボックス９０がヒンジ軸９６を中心として回動される。そして、ボックス装着部７１の角孔状の係止孔７８に対し副制御基板ボックス９０の係止体９９が弾性的に変形（縮小）されながら差し込まれる。これによって、係止体９９のＵ字状の第１弾性変形部９９ａの爪状のロック部９９ｂが係止孔７８の奥側開口縁に係合し、その係合力によってボックス装着部７１に対し副制御基板ボックス９０が装着状態にロックされる（図９及び図１０参照）。
【００５０】
次に、副制御基板ボックス９０の後側に主制御基板ボックス８０が重ね合わされて装着される。
すなわち、副制御基板ボックス９０の後側に主制御基板ボックス８０を重ね合わせて装着する場合、まず、副制御基板ボックス９０に一体に形成されたヒンジ体９７のヒンジ孔９８の上方から主制御基板ボックス８０に一体に形成されたヒンジ体８５の下向きのヒンジ軸８６が嵌挿される。これによって副制御基板ボックス９０の一側に主制御基板ボックス８０がヒンジ軸８６を中心として回動可能に支持される（図８参照）。
【００５１】
次に、副制御基板ボックス９０の後側に接近して沿う装着位置に向けて主制御基板ボックス８０がヒンジ軸８６を中心として回動される。
そして、主制御基板ボックス８０の係止爪８７が副制御基板ボックス９０の係止体９９の第２弾性変形部９９ｅを弾性変形させながら同第２弾性変形部９９ｅの孔状の第２ロック部９９ｃに差し込まれる。これによって、係止爪８７が第２ロック部９９ｃに係合し、その係合力によって副制御基板ボックス９０に対し主制御基板ボックス８０が装着状態にロックされる（図９及び図１０参照）。
【００５２】
前記したように、ボックス装着部７１の後側に対し副制御基板ボックス９０と主制御基板ボックス８０とを前後に重ね合わせて容易に装着することができる。
図６に示すように、ボックス装着部７１の後側に対し副制御基板ボックス９０と主制御基板ボックス８０とが前後に重ね合わされて装着された状態において、手前（後側）の主制御基板ボックス８０は、奥（前側）の副制御基板ボックス９０の基板コネクタ９４の後側に重ねられることがないように位置ずれした状態で配置されている。
このため、主制御基板ボックス８０を取り外すことなく、副制御基板ボックス９０の基板コネクタ９４に対する接続線の端末コネクタの接続作業を容易に行うことがでくる。
【００５３】
また、図６に示すように、副制御基板ボックス９０の副制御基板９１の基板コネクタ９４と、主制御基板ボックス８０の主制御基板８１の基板コネクタ８２とが共にヒンジ側寄り部分において接近して配設されている。このため、副制御基板９１の基板コネクタ９４と、主制御基板８１の基板コネクタ８２とをできるだけ短い接続線を用いて接続することができる。
しかも、主制御基板ボックス８０をヒンジ軸８６を中心として回動する際、その接続線が主制御基板ボックス８０の回動動作の妨害物となることも軽減することができる。
ひいては、接続線が主制御基板ボックス８０に絡みついたり、あるいは接続線に過大な引張力が作用して断線する不具合を防止することができる。
【００５４】
次に、副制御基板ボックス９０の保守・点検や主制御基板ボックス８０の保守・点検を行う際などにおいて、副制御基板ボックス９０に対し主制御基板ボックス８０を取り外す場合には、前記した装着手順とは逆の手順で操作することで主制御基板ボックス８０を容易に取り外すことができる。
すなわち、副制御基板ボックス９０の係止体９９の第２弾性変形部９９ｅを操作部９９ｄにおいて弾性変形させながらその第２弾性変形部９９ｅの孔状の第２ロック部９９ｃから主制御基板ボックス８０の係止爪８７を脱抜してロック解除する。
その後、副制御基板ボックス９０に対し主制御基板ボックス８０をヒンジ軸８６を中心として後方に所定角度（例えば、３０度〜１２０度程度）だけ回動する。ここで、副制御基板ボックス９０に対し主制御基板ボックス８０を所定高さ位置まで上方に持ち上げることで、ヒンジ軸８６がヒンジ孔９８から抜け出て外れ、これによって主制御基板ボックス８０が容易に取り外される。
【００５５】
また、この実施例１において、後カバー体７０のボックス装着部７１に対し副制御基板ボックス９０を取り外して副制御基板ボックス９０の保守・点検を行うこともできる。
ボックス装着部７１に対する副制御基板ボックス９０の取り外しは、前記した主制御基板ボックス８０の取り外しと略同様の操作によって容易に行うことができる。
また、副制御基板ボックス９０と主制御基板ボックス８０とのヒンジ機構において、主制御基板ボックス８０のヒンジ体８５の下面にヒンジ軸８６が下向きに突設されている。  このため、副制御基板ボックス９０のヒンジ体９７のヒンジ孔９８の上方から主制御基板ボックス８０のヒンジ体８５のヒンジ軸８６挿脱して主制御基板ボックス８０を着脱する場合には、主制御基板ボックス８０のヒンジ体８５に下向きに突設されたヒンジ軸８６の下端を目視しながら副制御基板ボックス９０のヒンジ体９７のヒンジ孔９８に容易に挿脱することができる。このため、副制御基板ボックス９０に対し主制御基板ボックス８０を容易に着脱することができる。
【００５６】
しかも、この実施例１において、ヒンジ体７３（又は９７）は、ヒンジ孔７４（又は９７）を有して有底筒状に形成されている。このため、有底筒状のヒンジ体７３（又は９７）のヒンジ孔７４（又は９７）に対し、ヒンジ軸９６（又は８６）が回動可能に嵌挿された状態において、そのヒンジ軸９６（又は８６）が有底筒状のヒンジ体７３（又は９７）によって被われて保護される。このため、ヒンジ軸９６（又は８６）に異物が当たって損傷されることを確実に防止することができる。
【００５７】
また、この実施例１において、遊技盤４０の後側下部（後カバー体７０）に設けられたボックス装着部７１に副制御基板ボックス９０と主制御基板ボックス８０とが前後に重ね合わされて装着されている。
さらに、本体枠３０の後側には、遊技盤４０の副制御基板ボックス９０及び主制御基板ボックス８０の下方に接近して電源基板ボックス２４０及び枠制御基板ボックス２３４が前後に重ね合わされた状態で装着されている。
これによって、副制御基板ボックス９０及び主制御基板ボックス８０と電源基板ボックス２４０及び枠制御基板ボックス２３４とをできるだけ短い接続線を用いて合理的かつ容易に接続することができる。
また、主制御基板ボックス８０と枠制御基板ボックス２３４は共に封印手段によって封印され、これら主制御基板ボックス８０と枠制御基板ボックス２３４は上下に隣接して配置されている。このため、主制御基板ボックス８０と枠制御基板ボックス２３４とをそれぞれ保守・点検（あるいは検査）を行う場合にはその作業が容易となる。
【実施例２】
【００５８】
次に、この発明の実施例２を図１１〜図１７にしたがって説明する。
図１１は遊技盤の後カバー体をボックス装着部として装着された副制御基板ボックスに対し導電性のシールド板を間に挟んで主制御基板ボックスが装着される前の分離状態を示す斜視図である。図１２は副制御基板ボックスと主制御基板ボックスとの相対するボックス壁の間にシールド板が装着された状態を示す平断面図である。図１３は副制御ボックスのボックス壁にシールド板が装着された状態を示す斜視図である。図１４は副制御ボックスのボックス壁の取付孔にシールド板の係止片が係合されロック片によってロックされた状態を破断して示す斜視図である。図１５は副制御ボックスのボックス壁にシールド板を取り付ける前の状態を示す説明図である。図１６は副制御ボックスのボックス壁の取付孔にシールド板の係止片を挿入した状態を示す説明図である。図１７は副制御ボックスのボックス壁の取付孔にシールド板の係止片が係合されロック片によってロックされた状態を示す説明図である。
【００５９】
（一方のボックス壁のシールド板の取付構造について）
図１１〜図１３に示すように、奥の副制御基板ボックス９０と手前の主制御基板ボックス８０との相対するボックス壁（例えば、副制御基板ボックス９０の蓋体と主制御基板ボックス８０のベース体）９０ａ、８０ａの間には、電磁波、静電気等を遮断する導電性のシールド板２８０が介在されている。
この実施例２において、奥の副制御基板ボックス９０のボックス壁９０ａには、２つの角孔状の取付孔２９０、２９１が左右方向に所定の間隔を隔てて貫設されている。
【００６０】
また、この実施例２において、奥の副制御基板ボックス９０のボックス壁９０ａには、その両取付孔２９０、２９１のうち、少なくとも一方の取付孔２９０に臨んでロック片２９２が弾性変形可能に形成されている。
すなわち、図１１と図１４に示すように、副制御基板ボックス９０のボックス壁９０ａには、その一方の取付孔２９０の略中央部から上下一対のスリット状の切り込み形成され、これらスリット状の切り込み部によってロック片２９２が弾性変形可能に形成されている。そして、ロック片２９２の先端部（自由端部）は、一方の取付孔２９０の略中央部に突入し、かつ次に詳述するシールド板２８０の断面鉤形状の係止片２８１の根元部２８１ａに係合してシールド板２８０を装着状態にロックするようになっている。
【００６１】
（シールド板について）
図１１〜図１３に示すように、導電性のシールド板２８０は、副制御基板ボックス９０のボックス壁９０ａに対応する大きさの略四角形状の金属板より形成されている。
シールド板２８０には、副制御基板ボックス９０のボックス壁９０ａの両取付孔２９０、２９１に係脱可能に係合する係止片２８１、２８２が切り起し状に形成されている。
これら両係止片２８１、２８２は、シールド板２８０の板面から直角状に折り曲げられた根元部２８１ａ、２８２ａと、これら根元部２８１ａ、２８２ａの先端からボックス壁９０ａの内面に沿って延出された係止部２８１ｂ、２８２ｂとを有して断面鉤形状に形成されている。そして、図１５に示すように、副制御基板ボックス９０のボックス壁９０ａの両取付孔２９０、２９１にシールド板２８０の係止片２８１、２８２が挿入された後、図１６に示すように、シールド板２８０が一方向（図１６に向かって左方）にスライドされることで、図１７に示すように、シールド板２８０の係止片２８１、２８２が副制御基板ボックス９０のボックス壁９０ａの両取付孔２９０、２９１に係合し、その係合力によって、副制御基板ボックス９０のボックス壁９０ａにシールド板２８０が装着される。
さらに、前記したようにして、シールド板２８０が装着された状態において、図１７に示すように、一方の係止片２８１の根元部２８１ａにロック片２９２の先端部が係合し、これによって副制御基板ボックス９０のボックス壁９０ａにシールド板２８０が装着状態にロックされるようになっている。
また、この実施例２において、シールド板２８０には、ロック片２９２をロック解除方向に弾性変形させるために指先が挿入可能なロック解除孔２８３が形成されている。
【００６２】
また、この実施例２において、図１３に示すように、シールド板２８０の四隅部には、プレス加工等によって、手前の主制御基板ボックス８０のボックス壁８０ａに凹設された凹部２９５に嵌込まれる凸部２８５が凸設されている。そして、シールド板２８０の凸部２８５と、手前の主制御基板ボックス８０のボックス壁８０ａの凹部２９５との嵌合作用によって、奥の副制御基板ボックス９０に対し手前の主制御基板ボックス８０を位置決めするとともに、上下及び左右方向の位置ずれを防止するようになっている。
【００６３】
この実施例２のその他の構成は、前記実施例１と同様に構成されるため、同一構成部分に対し同一符号を付記して説明は省略する。
したがって、この実施例２においても実施例１と同様の作用効果を奏する。
【００６４】
（実施例２の格別の作用効果について）
特に、この実施例２においては、奥の副制御基板ボックス９０と、手前の主制御基板ボックス８０との相対するボックス壁９０ａ、８０ａの間に介在している導電性のシールド板２８０によって電磁波、静電気等を遮断することができる。
例えば、手前の主制御基板ボックス８０で発生する電磁波を、導電性のシールド板２８０によって遮断することができるため、手前の主制御基板ボックス８０で発生する電磁波によって、奥の副制御基板ボックス９０内の電子部品が誤動作されることを防止することができる。
また、奥の副制御基板ボックス９０で発生する電磁波を、導電性のシールド板２８０によって遮断することができるため、奥の副制御基板ボックス９０で発生する電磁波によって、手前の主制御基板ボックス８０内の電子部品が誤動作されることを防止することができる。
【００６５】
また、この実施例２において、副制御基板ボックス９０のボックス壁９０ａに対しシールド板２８０を装着する場合、図１５の実線状態から２点鎖線状態に示すように、副制御基板ボックス９０のボックス壁９０ａの両取付孔２９０、２９１に対し、シールド板２８０の係止片２８１、２８２が挿入される。
この際、ロック片２９２は、シールド板２８０の一方の係止片２８１に押圧されてロック解除方向に弾性変形される。
【００６６】
その後、図１６に示すように、シールド板２８０の両係止片２８１、２８２の根元部２８１ａ、２８２ａが副制御基板ボックス９０のボックス壁９０ａの両取付孔２９０、２９１の孔縁に当接する位置までシールド板２８０が一方向（図１６に向かって左方）にスライドされることで、図１７に示すように、両係止片２８１、２８２が両取付孔２９０、２９１に係合し、その係合力によって、副制御基板ボックス９０のボックス壁９０ａにシールド板２８０が装着される。
この際、一方の係止片２８１がロック片２９２の先端部を通過すると、ロック片２９２が元のロック位置に弾性復帰する。すると、一方の係止片２８１の根元部２８１ａにロック片２９２の先端部が係合し、これによって副制御基板ボックス９０のボックス壁９０ａにシールド板２８０が装着状態にロックされる。
【００６７】
前記しようにして、ネジを一切用いることなく、副制御基板ボックス９０のボックス壁９０ａにシールド板２８０を装着することができる。このため、副制御基板ボックス９０のボックス壁９０ａに複数本のネジを締め付けてシールド板２８０を取り付ける場合と比べシールド板２８０を容易に手早く取り付けることができる。
また、ロック片２９２によってシールド板２８０を装着状態にロックすることができるため、シールド板２８０が位置ずれしたり外れることを防止することができ、常に最適な取り付け状態で電磁波、静電気等をシールドすることができる。
【００６８】
また、副制御基板ボックス９０のボックス壁９０ａにシールド板２８０が取り付けられかつロック片２９２によってロックされた状態において、副制御基板ボックス９０のボックス壁９０ａからシールド板２８０を取り外す場合には、シールド板２８０のロック解除孔２８３から指先を挿入してロック片２９２をロック解除方向に弾性変形させた状態で取付方向とは反対方向にかつシールド板２８０の係止片２８１、２８２が副制御基板ボックス９０のボックス壁９０ａの取付孔２９０、２９１に対応する位置までスライドさせる。この状態でシールド板２８０の係止片２８１を副制御基板ボックス９０のボックス壁９０ａの取付孔２９０、２９１から引き出すことによってシールド板２８０を取り外すことができる。
すなわち、副制御基板ボックス９０のボックス壁９０ａに複数本の複数本のネジによってシールド板２８０を取り付ける場合と比べ、副制御基板ボックス９０とシールド板２８０とを容易にかつ手早く分離することができ、副制御基板ボックス９０とシールド板２８０とを分離してリサイクルする場合において効果が大きい。
【００６９】
なお、この発明は前記実施例１及び２に限定するものではない。
例えば、前記実施例１及び２においては、外枠１０の前側に開閉可能に装着された本体枠３０が従来の前枠（内枠、前面枠等と呼ばれることがある）と、機構板（裏機構板、裏セット板等と呼ばれることがある）との機能を兼ね備えている場合を例示したがこれに限定するものではない。すなわち、外枠１０の前側に遊技盤４０が装着される遊技盤装着枠を有する前枠を開閉可能に装着し、その前枠の後側に、後面に球タンク、タンクレール、球払出装置等の機構部が装着される機構板を配設した形式の遊技機であってもこの発明を採用することができる。
【００７０】
また、前記実施例１及び２においては、遊技盤４０の後カバー体７０のボックス装着部７１が設けられる場合を例示したが、本体枠３０の後側、あるいは機構板の所定位置にボックス装着部が設けられる場合においてもこの発明を採用することができる。
また、パチンコ機以外の遊技機、例えば、スロットマシンの外筐体の内壁面の所定位置にボックス装着部が設けられる場合においてもこの発明を採用することができる。
また、基板ボックスとしては、主制御基板ボックス８０、副制御基板ボックス９０の他電源基板ボックス、枠制御基板ボックス等であってもこの発明を採用することができる。
【図面の簡単な説明】
【００７１】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠と遊技盤とを分離して斜め右上前方から示す斜視図である。
【図５】同じく遊技機の本体枠と遊技盤とを分離して斜め左上前方から示す斜視図である。
【図６】同じく遊技盤を後側から示す背面図である。
【図７】同じく遊技盤の側面図である。
【図８】同じく主制御基板ボックスと副制御基板ボックスとのヒンジ機構部を示す分解斜視図である。
【図９】同じく主制御基板ボックスと副制御基板ボックスと閉止機構部を示す分解斜視図である。
【図１０】ボックス装着部に対し主制御基板ボックスと副制御基板ボックスとが閉止機構によって閉止された状態を示す断面図である。
【図１１】この発明の実施例２を示すもので遊技盤の後カバー体をボックス装着部として装着された副制御基板ボックスに対し導電性のシールド板を間に挟んで主制御基板ボックスが装着される前の分離状態を示す斜視図である。
【図１２】同じく副制御基板ボックスと主制御基板ボックスとの相対するボックス壁の間にシールド板が装着された状態を示す平断面図である。
【図１３】同じく副制御ボックスのボックス壁にシールド板が装着された状態を示す斜視図である。
【図１４】同じく副制御ボックスのボックス壁の取付孔にシールド板の係止片が係合されロック片によってロックされた状態を破断して示す斜視図である。
【図１５】同じく副制御ボックスのボックス壁にシールド板を取り付ける前の状態を示す説明図である。
【図１６】同じく副制御ボックスのボックス壁の取付孔にシールド板の係止片を挿入した状態を示す説明図である。
【図１７】同じく副制御ボックスのボックス壁の取付孔にシールド板の係止片が係合されロック片によってロックされた状態を示す説明図である。
【符号の説明】
【００７２】
１０  外枠
３０  本体枠
３１  遊技盤装着部
４０  遊技盤
４４  遊技領域
７２  後カバー体（ボックス装着部）
８０  主制御基板ボックス（手前の基板ボックス）
８０ａ  ボックス壁
８１  主制御基板（回路基板）
８２  基板コネクタ
８５  ヒンジ体
８６  ヒンジ孔
９０  副制御基板ボックス（奥の基板ボックス）
９０ａ  ボックス壁
９１  副制御基板（回路基板）
９４  基板コネクタ
９７  ヒンジ体
９８  ヒンジ軸
２８０  シールド板
２８１、２８２  係止片
２８３  ロック解除孔
２９０、２９１  取付孔
２９２  ロック片
【図１】
2005169089.tif 000003
【図２】
2005169089.tif 000004
【図３】
2005169089.tif 000005
【図４】
2005169089.tif 000006
【図５】
2005169089.tif 000007
【図６】
2005169089.tif 000008
【図７】
2005169089.tif 000009
【図８】
2005169089.tif 000010
【図９】
2005169089.tif 000011
【図１０】
2005169089.tif 000012
【図１１】
2005169089.tif 000013
【図１２】
2005169089.tif 000014
【図１３】
2005169089.tif 000015
【図１４】
2005169089.tif 000016
【図１５】
2005169089.tif 000017
【図１６】
2005169089.tif 000018
【図１７】
2005169089.tif 000019